(57)【特許請求の範囲】
【請求項１】
ガスこんろ本体の上面にトッププレートを被着し、トッププレートに形成されたバーナ用開口にガスこんろ本体のバーナを挿通すると共にバーナの周囲に五徳を配置し、前記五徳は、平面視略環状をした五徳枠と、五徳枠の周方向に複数設けられ被加熱物が載置される板状部材からなる五徳爪とを備え、五徳爪には、金属が露出する金属製と金属製の五徳爪より厚みが厚く表面が琺瑯にて覆われる琺瑯製の二種類のいずれかが用いられ、少なくとも一部の五徳爪に係止突片を形成すると共に、前記係止突片に対応する位置に係止突片が係止する係止凹部を設けた位置決め部を形成してなるガスこんろにおいて、前記係止凹部は、係止される係止突片の板厚方向と直交する方向において、係止される係止突片の板厚に対応する幅方向の長さが段階的に減少する複数の段状部を有し、段状部は、琺瑯製の五徳爪の板厚と略同じかこれより広い第一の幅部と、第一の幅部より狭く金属製の五徳爪の板厚と略同じかこれより広い第二の幅部と、を備えることを特徴とするガスこんろ。
【請求項２】
バーナとバーナ用開口の内端縁との間に形成される隙間を塞ぐ平面視略環状をしたバーナリングを配置し、前記バーナリングに位置決め部を形成して成ることを特徴とする請求項１記載のガスこんろ。
【発明の詳細な説明】
【技術分野】
【０００１】
本発明は、ガスこんろに関するものである。
【背景技術】
【０００２】
ガスこんろは一般的に、バーナが設置されたガスこんろ本体の上面にトッププレートを被着し、トッププレートに形成されたバーナ用開口にバーナを挿通し、バーナの周囲に五徳を配置している。前記五徳は、平面視略円環状をした五徳枠と、五徳枠の周方向に略等間隔に設けられ被加熱物が載置される複数の五徳爪とを備えている。
【０００３】
五徳はバーナに対して所定の位置及び向きで配置されないと、五徳爪が異常に加熱されて焼損したり被加熱物を所定の火力で加熱することができない惧れがあるため、所定の位置及び向きで配置する必要がある。このため、トッププレートに五徳爪を係止する係止凹部を設け、この係止凹部に五徳爪を係止して五徳の位置決めを行っていた（例えば特許文献１参照）。
【０００４】
このものにあっては、トッププレート（正確にはバーナとバーナ用開口の内端縁との間に形成される隙間を塞ぐバーナリング）に全ての五徳爪に対応する係止凹部をそれぞれ設けているため、係止凹部の数が多くなり、拭き掃除が面倒となってお手入れ性が悪いものであった。
【０００５】
そこで、一部の五徳爪に係止突片を設けると共に、この係止突片に対応する部分にのみ係止凹部を設けたものが考えられた。これにより、全ての五徳爪に対応するように係止凹部を設ける必要がなく、係止凹部の数を減らすことができて、拭き掃除がし易くなり、お手入れ性が向上するものであった。
【先行技術文献】
【特許文献】
【０００６】
【特許文献１】特開２００２−３３３１４６号公報
【発明の概要】
【発明が解決しようとする課題】
【０００７】
ところで、五徳爪は、琺瑯製とステンレス等の金属製の二種類が主に使用されているが、琺瑯製と金属製の場合には厚みが異なるものである。特に、琺瑯製の場合には製造誤差により厚みに０．４〜０．８ｍｍ程度のバラつきを見込む必要があり、琺瑯製の方が厚みが厚くなる。
【０００８】
このため、五徳爪の係止突片が係止する係止凹部の幅も琺瑯製か金属製かにより異なってしまい、複数のトッププレートを製造する必要が生じてしまうものであった。
【０００９】
本発明は上記従来の問題点に鑑みて発明したものであって、その目的とするところは、係止凹部の幅が異なる複数のトッププレートを製造する必要のないガスこんろを提供することを課題とするものである。
【課題を解決するための手段】
【００１０】
上記課題を解決するために、請求項１に係る発明は、ガスこんろ本体の上面にトッププレート１を被着し、トッププレート１に形成されたバーナ用開口１０にガスこんろ本体のバーナ２を挿通すると共にバーナ２の周囲に五徳４を配置し、前記五徳４は、平面視略環状をした五徳枠４１と、五徳枠４１の周方向に複数設けられ被加熱物が載置される板状部材からなる五徳爪４２とを備え、五徳爪４２には、金属が露出する金属製と金属製の五徳爪４２より厚みが厚く表面が琺瑯にて覆われる琺瑯製の二種類のいずれかが用いられ、少なくとも一部の五徳爪４２に係止突片４３を形成すると共に、前記係止突片４３に対応する位置に係止突片４３が係止する係止凹部３５を設けた位置決め部を形成してなるガスこんろにおいて、前記係止凹部３５は、係止される係止突片４３の板厚方向と直交する方向において、係止される係止突片４３の板厚に対応する幅方向の長さが段階的に減少する複数の段状部を有し、段状部は、琺瑯製の五徳爪４２の板厚と略同じかこれより広い第一の幅部３５ａと、第一の幅部より狭く金属製の五徳爪４２の板厚と略同じかこれより広い第二の幅部３５ｂと、を備えることを特徴とするものである。
【００１１】
また請求項２に係る発明は、請求項１に係る発明において、バーナとバーナ用開口の内端縁との間に形成される隙間を塞ぐ平面視略環状をしたバーナリングを配置し、前記バーナリングに位置決め部を形成して成ることを特徴とするものである。
【発明の効果】
【００１２】
請求項１に係る発明にあっては、段状部を有する係止凹部に、厚みの異なる複数種類の係止突片を係止することができるため、係止凹部の幅が異なる複数のトッププレートを製造する必要がない。
【００１３】
請求項２に係る発明にあっては、バーナリングに係止凹部を形成するため、トッププレートに係止凹部を形成し難いガラス等の材料を用いることができる。
【図面の簡単な説明】
【００１４】
【図１】本発明の一実施形態のガスこんろのトッププレートから上の部分を示し、（ａ）は斜め上方より見た斜視図であり、（ｂ）は平面図である。
【図２】（ａ）は同上におけるバーナを通る面の要部縦断面図であり、（ｂ）は（ａ）の一部拡大図である。
【図３】同上における五徳を示し、（ａ）は斜め上方より見た斜視図であり、（ｂ）は平面図であり、（ｃ）は下面図である。
【図４】同上における五徳を示し、（ａ）は正面図であり、（ｂ）は側面図であり、（ｃ）は（ａ）のＡ−Ａ断面図である。
【図５】同上におけるバーナリングを示し、（ａ）は斜視図であり、（ｂ）は要部平面図であり、（ｃ）は縦断面図である。
【図６】同上における五徳とバーナリングとを組み合わせた状態の斜め上方より見た斜視図である。
【図７】同上における五徳とバーナリングとを組み合わせた状態を示し、（ａ）は金属製の五徳爪の要部縦断面図であり、（ｂ）は琺瑯製の五徳爪の要部縦断面図である。
【図８】同上における五徳とバーナリングとリングカバーとを組み合わせた状態の斜め上方より見た斜視図である。
【発明を実施するための形態】
【００１５】
以下、本発明を添付図面に示す実施形態に基いて説明する。
【００１６】
ガスこんろは、こんろ用のバーナ２や操作部（図示せず）や制御機器（図示せず）等を取り付ける基台となるガスこんろ本体（図示せず）と、ガスこんろ本体の上端部に被着されて天面部を構成するガラス製のトッププレート１と、トッププレート１上に形成されるこんろ部１１と、を備えている。本実施形態では、図１に示すように、トッププレート１の上面に、標準バーナ２ａを備えた左こんろ部１１ａが向かって左側の手前に設けてあり、小バーナ２ｂを備えた後こんろ部１１ｂが左右方向中央部の奥に設けてあり、高火力バーナ２ｃを備えた右こんろ部１１ｃが向かって右側の手前に設けてある。
【００１７】
バーナ２は、図２（ａ）に示すように、ガスこんろ本体に取り付けられる混合管２１と、混合管２１の下流側の端部の上部に形成されるバーナボティ２２と、バーナボディ２２の上部に形成され、トッププレート１に穿設されたバーナ用開口１０を介してトッププレート１の上方に露出するバーナヘッド２３とからなる。本実施形態では図１に示すように、こんろ部１１ａ〜１１ｃとなる略円形状をした三個のバーナ用開口１０をそれぞれトッププレート１の左側の手前、左右方向中央部の奥、右側の手前に穿設してあり、前記バーナ用開口１０を標準バーナ２ａ、小バーナ２ｂ、高火力バーナ２ｃがそれぞれ下方より挿通して上方に突出している。そして、トッププレート１の上面には、各バーナ２を中央に配置した五徳４を設けるもので、バーナ２と五徳４とで、五徳４上に載置される鍋等の被加熱物（図示せず）を加熱するこんろ部１１が構成される。
【００１８】
五徳４は、図３及び図４に示すように、略環状をした五徳枠４１と、複数個の五徳爪４２とを一体に組み立てて形成されるものである。本実施形態では、五徳枠４１は、断面略円形状の金属製の丸棒材を平面視環状に曲成して形成し、五徳爪４２は、五徳枠４１の周方向に複数個（本実施形態では６個）が略等間隔に形成されるもので、本実施形態では、図３及び図４に示すように、略コ字状に形成される所定の厚みの平板状のもので、略コ字状となった下片の尖先端を五徳枠４１に溶接して一体に形成される。そして一部の五徳爪４２に、内側（五徳枠４１の中心側）の端部の五徳枠４１に溶接された部分の上側から、五徳枠４１を超えて内側に突出して下方に突出する係止突片４３が形成される。この係止突片４３は、五徳枠４１の二つの円弧状部４１ａの略中央部にそれぞれ設けられる二つの五徳爪４２に形成される。
【００１９】
五徳爪４２は、表面の大部分が琺瑯にて覆われる琺瑯製と、金属が露出する金属製の二種類があり、係止突片４３も含めた全体の厚みは略同じとなっている。琺瑯製か金属製かによって、係止突片４３も含めた五徳爪４２の厚みは異なるもので、琺瑯製の方が金属製よりも厚みが厚い。
【００２０】
図２に示すように、トッププレート１のバーナ用開口１０の内端縁とバーナ２のバーナボディ２２外周面との隙間Ｓには、平面視略円環状をしたバーナリング３が介装される。バーナリング３は、図５に示すように、略円筒状をした筒部３１と、筒部３１の上端部の外周側に全周に亙って突出する外鍔部３２と、からなるもので、本実施形態では更に、筒部３１の上端部の内周側に全周に亙って突出する内鍔部３３を備えている。バーナリング３の筒部３１の下端部の外面には、後述するリング固定板１２と係合する固定板係合部（特に図示せず）が設けてある。
【００２１】
リング固定板１２は、図２に示すように、トッププレート１の下面側に配置されてガスこんろ本体又はトッププレート１に取り付けられるもので、平面視において内部にバーナ用開口１０と略同形状をした開口１２ａが形成してある。各こんろ部１１毎に、中央に前記開口１２ａを形成したリング固定板１２をそれぞれ設けてもよいし、各こんろ部１１に対応するように複数の前記開口１２ａを形成した一枚のリング固定板１２を設けてもよく、特に限定されない。リング固定板１２の開口１２ａの周縁には、バーナリング３の上記固定板係合部と係合するバーナリング係合部（特に図示せず）を設けてある。
【００２２】
そして、リング固定板１２にバーナリング３を取り付けるもので、本実施形態では、バーナリング３の筒部３１をトッププレート１の上方からバーナ用開口１０に挿通させると共にリング固定板１２の開口１２ａに挿通し、固定板係合部をバーナリング係合部に係合して取り付ける。バーナリング３の外鍔部３２の下面には、平面視環状をした凹溝３４ａが形成してあり、この凹溝３４ａにシール部材３４ｂを装填してある。バーナリング３をリング固定板１２に取り付けた際、外鍔部３２がトッププレート１のバーナ用開口１０の周縁の上面に当接するのであるが、この時、シール部材３４ｂがトッププレート１の上面に圧接されてシールがなされる。このように取り付けられたバーナリング３とトッププレート１により、天面部が構成される。
【００２３】
天面部には、上述した五徳４の係止突片４３が係止される係止凹部３５を設けるもので、本実施形態では図５に示すように、バーナリング３の外鍔部３２の上面に、係止突片４３が係止する係止凹部３５を設けてある。係止凹部３５は、係止突片４３の厚みと略同じか前記厚みより若干広い幅で、係止突片４３の長さと略同じか前記長さより若干長く形成するものであるが、本発明においては、幅が段階的に減少する複数の段状部を有するもので、以下に説明する。
【００２４】
段状部は図５（ｂ）に示すように、琺瑯製の五徳爪４２（及び係止突片４３）の厚みと略同じかこれより若干広い幅Ｗ２の第一の幅部３５ａと、第一の幅部より狭く金属製の五徳爪４２（及び係止突片４３）の厚みと略同じかこれより若干広い幅Ｗ１の第二の幅部３５ｂと、からなる。
【００２５】
そして、金属製の五徳爪４２を備えた五徳４を配置する場合は、図７（ａ）に示すように係止突片４３が係止凹部３５に係止された際、第一の幅部３５ａと第二の幅部３５ｂの全長に亙って位置し、該係止突片４３と略同じかこれより若干広い第二の幅部３５ｂに挿入されてガタつくことなく位置決めがなされる。このように、係止突片４３の長さは第一の幅部３５ａ及び第二の幅部３５ｂに位置する長さに形成される。
【００２６】
また、琺瑯製の五徳爪４２を備えた五徳４を配置する場合は、図７（ｂ）に示すように係止突片４３が係止凹部３５に係止された際、第一の幅部３５ａに位置し、該係止突片４３と略同じかこれより若干広い第一の幅部３５ａの間に嵌入されてガタつくことなく位置決めがなされる。このように、係止突片４３の長さは第一の幅部３５ａにのみ位置する長さに形成される。
【００２７】
このようにすることで、係止凹部３５に厚みの異なる係止突片４３を係止することができるため、厚みの異なる係止突片４３に応じて係止凹部３５の幅が異なる複数の天面部（すなわちバーナリング３等）を製造する必要がない。
【００２８】
また本実施形態では、五徳枠４１の平面視形状を非円形状とすると共に、バーナリング３の外鍔部３２に五徳枠４１を上方より係合可能な五徳枠係合部を設けている。
【００２９】
五徳枠４１は、本実施形態では図３及び図４に示すように、平面視形状を、その環状をした周方向の一部を円弧とする共に、残りの部分を前記円弧を延長して形成される円上の別の円弧とならない形状とするもので、特に図示例では、中心角が１５０度程の同円上の二つの円弧状部４１ａを対向させて距離を若干離し、前記二つの円弧状部４１ａの同じ側の端部間を直線部４１ｂで結んで、点対称となる形状にしてある。前記円弧状部４１ａの中心角は特に１５０度でなくてもよい。
【００３０】
バーナリング３は、本実施形態では図５に示すように、五徳枠４１の円弧状部４１ａ及び直線部４１ｂに対応する円弧状部３２ａ及び直線部３２ｂを形成して、外鍔部３２の外郭形状を五徳枠４１の平面視形状と略同形状に形成してあり、この外周端縁が五徳枠係合部として機能する。
【００３１】
五徳４とバーナリング３とは、図６に示すように、五徳枠４１の内周端縁がバーナリング３の外鍔部３２の外周端縁に嵌まって係合する。五徳枠４１及びバーナリング３の外鍔部３２の外郭形状は非円形状をしているため、五徳４とバーナリング３とが係合した状態では、五徳４はバーナリング３に対して位置決めされるだけでなく周方向に相対的に回転することができない。
【００３２】
また、バーナリング３の外鍔部３２の外郭形状を五徳枠４１の平面視形状と略同形状にしているため、一見してバーナリング３に対する五徳枠４１の所定の向きが分かり、五徳枠４１の向きを所定の向きに合わせ易い。
【００３３】
また、五徳枠４１の平面視形状を円弧と直線の組み合わせとすることで、従来の円環状をした五徳枠から若干の変更を加えるだけで五徳枠４１を製造することができて、設計が容易となる。
【００３４】
また、五徳枠４１の平面視形状を点対称となる形状にすることで、五徳４を１８０度反転させても係合させることが可能となり、五徳４を配置する作業が容易になる。
【００３５】
また本実施形態では、図８に示すように、バーナリング３の上面を覆うリングカバー５を設けてある。これにより、加熱調理の際に鍋から煮汁がこぼれたりしても汚れはバーナリング３に付着せずリングカバー５に付着するため、リングカバー５だけを洗浄すればよくてお手入れ性が向上するものである。
【００３６】
また更に、リングカバー５は、バーナ２の外周（詳しくはバーナボディ２２の外周）と五徳枠４１の内周との間に配置するもので、これにより、五徳４の着脱がし易くなって使い勝手がよくなるものである。なお、係止突片４３に対応する部分には、該係止突片４３を逃がす切欠５１を形成してある。
【００３７】
また本実施形態では、リングカバー５は、バーナリング３の上面に間隙を介して配置するもので、これにより、リングカバー５からバーナリング３への熱伝導をなくしてバーナリング３の温度上昇を抑えることができ、バーナリング３に汚れが付着した場合に汚れがこびりつき難くなる。
【符号の説明】
【００３８】
１    トッププレート
１０  バーナ用開口
１１  こんろ部
２    バーナ
３    バーナリング
３１  筒部
３２  外鍔部
３５  係止凹部
３５ａ  第一の幅部
３５ｂ  第二の幅部
４    五徳
４１  五徳枠
４２  五徳爪
４３  係止突片
５    リングカバー
【図１】
0005529588.tif 000002
【図２】
0005529588.tif 000003
【図３】
0005529588.tif 000004
【図４】
0005529588.tif 000005
【図５】
0005529588.tif 000006
【図６】
0005529588.tif 000007
【図７】
0005529588.tif 000008
【図８】
0005529588.tif 000009